(57)【要約】【課題】熱溶着作業を低減し、簡単にユニットの組立てが可能で作業時間短縮が図れるフィルタユニットを備えた空気清浄機を提供することにある。【解決手段】フィルタ枠２５と集塵フィルタ２３と脱臭フィルタ２４を備えるフィルタユニット８と、フィルタユニット８の下流側に設けられたファンを備えた空気清浄機において、フィルタ枠２５が合成樹脂材で成形され、フィルタ枠２５に集塵フィルタ２３と脱臭フィル２４の少なくとも一方が収納され、フィルタ枠２５のリブが集塵フィルタ２３と脱臭フィルタ２４の外周の少なくとも一方に密着することを特徴とする。【選択図】図６
2018204890.tif 000002
【特許請求の範囲】
【請求項１】
フィルタ枠と集塵フィルタと脱臭フィルタを備えるフィルタユニットと、該フィルタユニットの下流側に設けられたファンを備えた空気清浄機において、
前記フィルタ枠が合成樹脂材で成形され、前記フィルタ枠に集塵フィルタと脱臭フィルの少なくとも一方が収納され、前記フィルタ枠のリブが集塵フィルタと脱臭フィルタの外周の少なくとも一方に密着することを特徴とする、空気清浄機。
【請求項２】
前記枠フィルタ枠は四辺を有し、該四辺のうち少なくとも一辺が開閉又は着脱されることを特徴とする、
請求項１に記載の空気清浄機。
【請求項３】
前記フィルタ枠は四辺を有し、前記フィルタ枠の接続箇所の少なくとも一部が係合部で着脱自在に固定されることを特徴とする、
請求項１に記載の空気清浄機。
【請求項４】
前記枠体は四辺を有し、それぞれの辺が係合部で着脱自在に固定されることを特徴とする、
請求項１に記載の空気清浄機。
【請求項５】
前記係合部は、一辺に設けられたかぎ爪状の突起部が、前記一辺と隣接する他の一辺の穴部に係合することでそれぞれの辺を固定することを特徴とする、
請求項３又は４に記載の空気清浄機。
【発明の詳細な説明】
【技術分野】
【０００１】
本発明は、空気清浄機に関する。
【背景技術】
【０００２】
従来の空気清浄機は、一般的に以下の特許文献にも示されているように、空気が通過するフィルタユニットと、このフィルタユニットの下流側に設けられたファンモータとから構成される。このような空気清浄機において、フィルタユニットは集塵フィルタ部と脱臭フィルタ部とで構成され、集塵フィルタ部は空気中に浮遊している細かい粒子を捕集するために帯電処理が施された集塵濾材（不織布など）が使用されている。この集塵濾材はひだ折りして組み込まれ、脱臭フィルタ部には匂い成分を吸着させることができる粒状の活性炭などが組み合わされている。この脱臭フィルタ部は活性炭を紙枠で形成した無数のハニカム形状コア内に投入させ、不織布などで周囲を熱溶着させることで活性炭がこぼれないような構造となっている。
【０００３】
このような集塵フィルタ部と脱臭フィルタ部は、互いに重ね合わせられ、そして、その外観面となる周囲を紙や不織布で覆いホットメルトなどを使用して熱接着している。
【先行技術文献】
【特許文献】
【０００４】
【特許文献１】特開平３−３２７１２号公報
【特許文献２】実用新案登録第３０６３４１１号公報
【発明の概要】
【発明が解決しようとする課題】
【０００５】
しかしながら、前記活性炭を投入後当該活性炭を前記コア内からこぼれ出さないようにするため、不織布などを熱溶着させていたが、この熱溶着作業おいては、フィルタ性能を確保するため気密性を向上させる必要があり、その全周を熱溶着していた。したがって、熱溶着作業が多く、組立時間の他に、加熱、冷却時間を要し、そのため、作業時間を低減することが難しかった。
【０００６】
本発明の目的は、作業時間を短縮させて生産性を大幅に向上させたフィルタユニットを備えた空気清浄機を提供することにある。
【課題を解決するための手段】
【０００７】
上記課題を解決するため、本発明の空気清浄機は、フィルタ枠２５と集塵フィルタ２３と脱臭フィルタ２４を備えるフィルタユニット８と、フィルタユニット８の下流側に設けられたファンを備えた空気清浄機において、フィルタ枠２５が合成樹脂材で成形され、フィルタ枠２５に集塵フィルタ２３と脱臭フィル２４の少なくとも一方が収納され、フィルタ枠２５のリブが集塵フィルタ２３と脱臭フィルタ２４の外周の少なくとも一方に密着することを特徴とする。
【発明の効果】
【０００８】
本発明によれば、作業時間を短縮させて生産性を大幅に向上させたフィルタユニットを備えた空気清浄機を提供できるという、実用的にも極めて優れた効果を発揮する。
【図面の簡単な説明】
【０００９】
【図１】本発明の実施形態に係る空気清浄機の外観斜視図である。
【図２】本発明の実施形態に係る空気清浄機の分解斜視図である。
【図３】本発明の実施形態に係る空気清浄機を背面から見た際の構成を示す外観斜視図である。
【図４】本発明の実施形態に係る空気清浄機の内部構造をその左側面から見た際の風路を模式的に示す構成説明図である。
【図５】本発明の実施形態に係る空気清浄機のフィルタを示す外観斜視図である。
【図６】本発明の実施形態に係る空気清浄機のフィルタの構成を示す外観斜視図である。
【図７】本発明の実施形態に係る空気清浄機のフィルタ枠の断面図である。
【図８】本発明の実施形態に係る空気清浄機のフィルタ枠の外観斜視図である。
【図９】本発明の実施形態に係る空気清浄機のフィルタの断面図である。
【発明を実施するための形態】
【００１０】
以下、本発明の実施形態について適宜図面を参照しながら詳細に説明する。図１は、本発明の実施形態に係る空気清浄機１の外観斜視図である。図２は、空気清浄機１の分解斜視図である。
【００１１】
図１及び図２に示すように、本実施形態に係る空気清浄機１は、フロントパネル４ａと、一対のサイドパネル４ｂ（図１には、左側のサイドパネル４ｂのみ図示）と、アッパケース４ｃと、リアパネル４ｄと、を備えてハウジング４が形成されている。
【００１２】
このハウジング４は、水タンク２０が引き出し可能に収容されるタンクベース６と、これに取り付けられるリアパネル４ｄ（図２参照）とを介して組み立てられている。
【００１３】
なお、左側のサイドパネル４ｂには、加湿フィルタ３をハウジング４から取り出す際の開閉蓋４ｆが設けられている。また、図１及び図２中、符号７は、開閉角度の調節可能な後記するフラップである。ちなみに、このフラップ７は、後縁側を軸にして前縁側が持ち上がるように回動して開く構成となっている。
【００１４】
図２に示すように、空気清浄機１のハウジング４内には、リアパネル４ｄ側からフロントパネル４ａ側に向かって、フィルタユニット８と、加湿フィルタ３と、送風機構１０がこの順番で配置されている。
【００１５】
フィルタユニット８は、プレフィルタ８ａと、集塵フィルタ２３（図６参照）と脱臭フィルタ２４（図６参照）を収納した集塵・脱臭フィルタユニット８ｂとで主に構成され、送風機構１０は、遠心ファン１１と、スクロール１２と、モータ１３とで主に構成されている。
【００１６】
ちなみに、このハウジング４内には、後記する送風機構１０の遠心ファン１１が回転することによって、リアパネル４ｄの両側縁部の吸込み口４ｇ，４ｇからハウジング４の外部の空気が流入する。そして、この空気流は、浄化フィルタユニット８と、加湿フィルタ３をこの順番で流通する。その後、空気は、遠心ファン１１が収納されるスクロール１２の上部開口からフラップ７を介して空気清浄機１のハウジング４外に送り出される。
【００１７】
フィルタユニット８は、リアパネル４ｄ側からフロントパネル４ａ側に向かって、プレフィルタ８ａと、集塵・脱臭フィルタユニット８ｂがこの順番で配置されて構成されている。
【００１８】
プレフィルタ８ａは、綿ゴミ等の比較的大きなゴミを捕集するものである。集塵フィルタ２３は、チリ、ホコリ、花粉等の比較的小さな微粒子を捕集するものである。脱臭フィルタ２４は、臭いの元となる化学物質を吸着するものである。
【００１９】
加湿フィルタ３は、これを流通する空気の湿度を高めるものである。
【００２０】
送風機構１０は、スクロール１２内に配置される遠心ファン１１と、この遠心ファン１１を回転させるモータ１３とを備えて構成されている。
【００２１】
この送風機構１０は、前記したように、遠心ファン１１が回転することにより、リアパネル４ｄの吸込み口４ｇ，４ｇから導入した空気を浄化フィルタユニット８及び加湿フィルタ３に流通させた後、フラップ７を介してハウジング４外に送り出す。
【００２２】
次に、空気清浄機１の吸込み口４ｇ，４ｇについて説明する。
吸込み口４ｇ，４ｇは、図３に示すように、リアパネル４ｄに配置しており、リアパネル４ｄは集塵・脱臭フィルタユニット８ｂを交換する時に外せる構造となっている。
【００２３】
図４は、本発明の実施形態に係る空気清浄機１の内部構造を左側面から見た際の風路を模式的に示す構成説明図である。
【００２４】
以上説明した空気清浄機に搭載されたフィルタ枠の詳細について図５、図６を使って説明する。図５は集塵濾材（不織布など）が波形に折り畳まれた集塵フィルタ２３と、コルゲート状に形成された紙材に脱臭剤が添着された脱臭フィルタ２４を樹脂製のフィルタ枠２５に収納された状態の集塵・脱臭フィルタユニット８ｂを示し、図６にフィルタ枠２５がフィルタ枠Ｔ２５ａ、フィルタ枠Ｙ２５ｂの２種類のフィルタ枠で構成されていること示す。これらのフィルタ枠は、例えば合成樹脂材で制作され、それぞれ分離可能な四辺で構成されるが、集塵フィルタと脱臭フィルタを取り付け及び取り外しできれば一辺のみ取り外しができる構成でもよく、二辺のみ取り外しできる構成でもよい。
【００２５】
フィルタ枠Ｔ２５ａとフィルタ枠Ｙ２５ｂは、図７に示すようにフィルタ枠Ｔ２５ａのかぎ爪状の突起部がフィルタ枠Ｙ２５ｂの穴部に係合することで固定される。この係合部は、すなわち、一辺に設けられたかぎ爪状の突起部が、この一辺と隣接する他の一辺の穴部に係合することでそれぞれの辺を固定するものである。
【００２６】
この係合部を外す場合は、フィルタ枠Ｔ２５ａの凸部を押すことにより、フィルタ枠Ｔ２５ａのかぎ爪状の突起部が、フィルタ枠Ｙ２５ｂの穴部から外れる。組立順序は、最初に図８の様にフィルタ枠２５を組立てた後、矢印の方向に集塵フィルタ２３と、脱臭フィルタ２４を収納しフィルタ枠Ｔ２５ａを取り付ける順番となる。
【００２７】
また、図９は集塵・脱臭フィルタユニット８ｂを上から見て断面した図であり、フィルタ枠２５の全周にリブが構成されており、このリブの上に集塵フィルタ２３または、脱臭フィルタ２４の外周が、本体が動作した場合、遠心ファン１１が回転し、負圧が発生することにより密着されるため、フィルタ性能を確保するための気密性を向上できる。よって前記フィルタ枠２５を使用することにより、気密性向上のための、全周を熱溶着する熱溶着作業が無くなり、組立時間の他に、加熱、冷却時間などの作業時間を低減することができ、製造コストの削減が可能となる。
【００２８】
以上、本発明の実態形態について説明したが、本発明は前記実施形態に限定されず、数々の他の形態で実施することができる。今回は集塵フィルタと脱臭フィルタを1個のフィルタ枠に収めたが、フィルタ枠に使用する用途に合わせて集塵フィルタ、または脱臭フィルタのみを収納、または別々のフィルタ枠で収納も可能である。また、集塵フィルタと脱臭フィルタは消耗品のため、廃棄する場合、容易にフィルタ枠と集塵フィルタ、脱臭フィルタの分別が可能である。更に、フィルタ枠を再利用することにより、新しく集塵フィルタ、脱臭フィルタのみを使用することにより、製造コストの削減が可能となる。
【符号の説明】
【００２９】
１・・・空気清浄機、２・・・給水機構、３・・・加湿フィルタ、４・・・ハウジング、４ａ・・・フロントパネル、４ｂ・・・サイドパネル、４ｃ・・・アッパケース、４ｄ・・・リアパネル、４ｆ・・・開閉蓋、６・・・タンクベース、７・・・フラップ、８・・・フィルタユニット、８ａ・・・プレフィルタ、８ｂ・・・集塵・脱臭フィルタユニット、１０・・・送風機構、１１・・・遠心ファン、１２・・・スクロール、１３・・・モータ、２０・・・水タンク、２１・・・ポンプ、２３・・・集塵フィルタ、２４・・・脱臭フィルタ、２５・・・フィルタ枠、２５ａ・・・フィルタ枠Ｔ、２５ｂ・・・フィルタ枠Ｙ
【図１】
2018204890.tif 000003
【図２】
2018204890.tif 000004
【図３】
2018204890.tif 000005
【図４】
2018204890.tif 000006
【図５】
2018204890.tif 000007
【図６】
2018204890.tif 000008
【図７】
2018204890.tif 000009
【図８】
2018204890.tif 000010
【図９】
2018204890.tif 000011